(57)【要約】      （修正有）【課題】新規な財布を提供する。【解決手段】本実施形態の財布１は、四角形状の表面Ｆと、表面Ｆと対向する位置に配置され、表面Ｆと同じ大きさを持つ裏面Ｂとを有する。また、本実施形態の財布１は、札長手方向に位置し、開口可能に形成された開口部Ｍと、を有する本体部３と、本体部３の開口部Ｍと対面の面である掛渡部Ｎを介して、札を表面Ｆから裏面Ｂに掛け渡して収納可能に形成される札収納部５と、を有する。【選択図】図１
0003211288.tif 000002
【実用新案登録請求の範囲】
【請求項１】
四角形状の表面と、
前記表面と対向する位置に配置され、前記表面と同じ大きさを持つ裏面と、
札長手方向に位置し、開口可能に形成された開口部と、
を有する本体部と、
前記本体部の前記開口部と対面の面である掛渡部を介して、札を前記表面から前記裏面に掛け渡して収納可能に形成される札収納部と、を有する
財布。
【請求項２】
前記開口部から、小銭、カード、名刺、のいずれか１つは、前記本体部の内部に対して出し入れされる構造である
請求項１に記載の財布。
【請求項３】
前記札収納部は、
前記表面、前記掛渡部及び前記裏面を覆い、可撓性の有る外側収納面部を有し、
前記外側収納面部は、少なくとも前記本体部の前記裏面の前記開口部側の位置である第１結合位置において、前記本体部と結合されており、
前記札収納部は、前記外側収納面部と前記本体部との間で札収納空間が形成されて札が保持されるように形成されている
請求項１又は２に記載の財布。
【請求項４】
前記札収納部は、前記本体部の前記表面の前記開口部側の位置である第２結合位置において、前記本体部と結合される内側収納面部、を有し、
前記内側収納面部を前記掛渡部に対して倒した状態で、前記本体部とは反対側の面に、第１接続部が形成され、
前記外側収納面部を前記掛渡部に掛け渡した状態で、前記本体部側の面に、前記第１接続部と、接続と離間が可能な第２接続部が形成され、
前記第１接続部及び前記第２接続部の位置から前記第１結合位置までの前記札収納空間の距離は、販売国の通貨の最大札の長手方向の長さよりも短く形成し、
前記第２結合位置から前記第１接続位置までの前記札収納空間の距離は、販売国の通貨の最大札の長手方向の長さよりも長く形成している
請求項１〜３いずれか１項に記載の財布。
【請求項５】
前記第１接続部及び前記第２接続部の位置から前記第１結合位置までの前記札収納空間の距離は、販売国の通貨の最小札の長手方向の長さよりも長く形成している
請求項４に記載の財布。
【請求項６】
前記外側収納面部は、幅方向の少なくとも一方の端部において前記本体部と結合している
請求項３〜５に記載の財布。
【請求項７】
前記外側収納面部は、
幅方向の両方の端部において前記本体部と結合している場合には、
一方の端部の接合部の長さは、他方の接合部の長さと異なる
請求項６に記載の財布。
【請求項８】
前記外側収納面部は、
幅方向の一方のみにおいて前記本体部と結合している
請求項６に記載の財布。
【考案の詳細な説明】
【技術分野】
【０００１】
本考案は、財布の構造に関する。
【背景技術】
【０００２】
特許文献１には、財布の一般的構造が開示されている。
【０００３】
【特許文献１】特開２０１３−９４４６２号公報
【考案の概要】
【考案が解決しようとする課題】
【０００４】
財布はより使いやすく、より小さく、よりスタイリッシュにという需要がある。
本考案の目的は、新規な財布を提供することにある。
【課題を解決するための手段】
【０００５】
本考案の財布は、四角形状の表面と、前記表面と対向する位置に配置され、前記表面と同じ大きさを持つ裏面と、札長手方向に位置し、開口可能に形成された開口部と、を有する本体部と、前記本体部の前記開口部と対面の面である掛渡部を介して、札を前記表面から前記裏面に掛け渡して収納可能に形成される札収納部と、を有する。
【０００６】
好適には、  前記開口部から、小銭、カード、名刺、のいずれか１つは、前記本体部の内部に対して出し入れされる構造である。
【０００７】
好適には、前記札収納部は、前記表面、前記掛渡部及び前記裏面を覆い、可撓性の有る外側収納面部を有し、前記外側収納面部は、少なくとも前記本体部の前記裏面の前記開口部側の位置である第１結合位置において、前記本体部と結合されており、前記札収納部は、前記外側収納面部と前記本体部との間で札収納空間が形成されて札が保持されるように形成されている。
【０００８】
好適には、前記札収納部は、前記本体部の前記表面の前記開口部側の位置である第２結合位置において、前記本体部と結合される内側収納面部、を有し、前記内側収納面部を前記掛渡部に対して倒した状態で、前記本体部とは反対側の面に、第１接続部が形成され、
前記外側収納面部を前記掛渡部に掛け渡した状態で、前記本体部側の面に、前記第１接続部と、接続と離間が可能な第２接続部が形成され、前記第１接続部及び前記第２接続部の位置から前記第１結合位置までの前記札収納空間の距離は、販売国の通貨の最大札の長手方向の長さよりも短く形成し、前記第２結合位置から前記第１接続位置までの前記札収納空間の距離は、販売国の通貨の最大札の長手方向の長さよりも長く形成している。
【０００９】
好適には、前記第１接続部及び前記第２接続部の位置から前記第１結合位置までの前記札収納空間の距離は、販売国の通貨の最小札の長手方向の長さよりも長く形成している。
【００１０】
好適には、前記外側収納面部は、幅方向の少なくとも一方の端部において前記本体部と結合している。
【００１１】
好適には、前記外側収納面部は、幅方向の両方の端部において前記本体部と結合している場合には、一方の端部の接合部の長さは、他方の接合部の長さと異なる。
【００１２】
好適には、前記外側収納面部は、幅方向の一方のみにおいて前記本体部と結合している。
【考案の効果】
【００１３】
本考案によれば、新規な財布を提供することができる。
【図面の簡単な説明】
【００１４】
【図１】本考案にかかる財布の実施形態の斜視図である。
【図２】札収納部の構造の説明図である。
【図３】内側収納面部を開口部側に開いた状態の説明図である。
【図４】財布の機能の説明図である。
【図５】財布の裏面の説明図である。
【図６】財布の裏面を、外側収納面部を開いた状態の説明図である。
【考案を実施するための形態】
【００１５】
以下、本考案の実施形態を、詳細に説明する。
図１は、本考案にかかる財布１の実施形態の斜視図である。
【００１６】
図１の様に、財布１は本体部３と札収納部５とを有する。
本体部３についてより具体的に以下説明する。
本体部３は、札長手方向に札長手方向Ｌ１と、この札長手方向に直行する方向の札幅方向に札幅方向長さＬ２とで形成される長方形形状の表面Ｆを有している。
また、本体部３は、表面Ｆとほぼ同一の形状の裏面Ｂを有している。この裏面Ｂも、札長手方向に札長手方向Ｌ１と、この札長手方向に直行する方向の札幅方向に札幅方向長さＬ２とで形成される長方形形状である。
そして、札長手方向Ｌ１と札幅方向長さＬ２よりもかなり短い、厚さ方向の長さを有している。
その結果、本体部３は直方体形状を有している。
【００１７】
また、本体部３は、札長手方向位置に、開口部Ｍを有している。
また、この開口部Ｍと対向する面が掛渡部Ｎとなっている。開口部Ｍと掛渡部Ｎも同様の面積を有している。
他方、札厚方向位置の左右にそれぞれ、右側面Ｒと左側面Ｌが配置されている。
開口部Ｍ、掛渡部Ｎ、右側面Ｒ及び左側面Ｌはほぼ同じ厚さを有している。もっと、掛渡部は、その構造上、表面Ｆ及び裏面Ｂと滑らか（鋭角部分がない）に結合している（連続している）方が好適である。
本体部３の内部は、少なくとも、財布１に収納される可能性があるもの（財布収納物）が収納できるようにすることがより適切である。具体的には、小銭（コイン）、各種カード（クレジットカード、プリペイドカード、会員カード、銀行カード、ポイントカード）、名刺等が適切である。
ただし、札収納部５が存在することから、札を本体部３に入れるために最適化した構造ではないことが極めて望ましい。つまり、本体部３は札以外の財布１に収納される可能性があるもの（札以外の再収納物）を収納する構造が極めて望ましい。
【００１８】
また、この本体部３の内部へ収納した各種の収納物の出し入れは、開口部Ｍから出し入れすることが適切である。
しかしながら、開口部Ｍとは、本体部３の表面Ｆ側の部材と裏面Ｂ側の部材とが離間できるという意味に過ぎない。
そのため、収納物の出し入れは、開口部Ｍからの出し入れが最適ではあるものの、例えば、左側面又は右側面のいずれかから、または、その両方から出し入れするものであってもよい。
当然、開口部Ｍ、右側面及び左側面から出し入れするものであってもよい。つまり、開口部Ｍ、右側面及び左側面の少なくとも、いずれか１つの部分から出し入れができれば足りる。
【００１９】
左側面、開口部Ｍ及び右側面には、好適にはファスナ３１が連続的に形成される。
つまり、左側面、開口部Ｍ及び右側面がこの順に続いてファスナ３１が形成されている。
そして、ファスナ金具３２をスライド移動させることによって、表面Ｆ及び裏面Ｂとの間の結合と離間とを切り替えることが可能である。
なお、ファスナ金具３２には、ユーザが把持するための把持部３９が鎖状に連結されている。
さらになお、表面Ｆ及び裏面Ｂとの間の結合と離間とを切り替えることができるものであれば、どのようなものであってもよい。例えば、ボタン式、磁石式、面ファスナ式、係合式、図２で示される接続部５７のようなものであってよい。
【００２０】
札長手方向長さＬ１は以下のような関係がある。
販売国の通貨の最大の大きさの札（最大札Ｂ１）の長手方向対して直角な方向に折り目が来る様に２等分した際の長さをＢ１ｈとし、
掛渡部Ｎの長さ（表面Ｆから裏面Ｂまでの間の距離）をＮ１とした場合、
（Ｎ１＋２×Ｌ１）≧Ｂ１ｈ×２という関係を有している。
つまり、Ｌ１≧Ｂ１ｈ−（１／２）×Ｎ  である。
財布１は収納物の大きさの制約、及び、構造上の制約によって、限界はあるものの、できるだけ小さいことが望ましい。
その結果、Ｌ１は（Ｂ１ｈ−（１／２）×Ｎ）の１〜２倍が通常であり。
より好ましくは、Ｌ１は（Ｂ１ｈ−（１／２）×Ｎ）の１．０〜１．３程度が好適である。
【００２１】
札幅方向長さＬ２は以下のような関係がある。
販売国の通貨の最大の大きさの札（最大札Ｂ１）の長手方向対して直角な方向の幅をＢ１ｗとした場合には、以下の関係がのぞましい。
その結果、Ｌ２はＢ１ｗの１〜２倍が通常であり。
より好ましくは、Ｌ２はＢ１ｗの１．０〜１．３程度が好適である。
【００２２】
本体部３は、表面Ｆ、掛渡部Ｎ及び裏面の全てを掛け渡しつつ覆う収納部形成面３３を有する。
この収納部形成面３３は、表面Ｆ側の表面側収納部形成面３３ｆと、裏面Ｂ側の裏面側収納部形成面３３ｂ（図４参照のこと）とを有する。（なお、当然、掛渡部Ｎ側の掛渡部側収納部形成面も有する（図４参照のこと。）。
この収納部形成面３３は、本体部３の表面Ｆ、裏面Ｂ及び掛渡部Ｎと第１縫目３６によって糸によって縫製されて、それぞれの本体部３の部分と結合されている。
この第１縫目３６は、一周する循環した縫い目形状を有している。
表面Ｆの開口部Ｍ側の端部付近（第２結合位置３４ｂ）をこの端部に沿って縫い込んでおり、その後、９０度カーブして、表面Ｆの右側面Ｒ側の端部付近をこの端部に沿って縫い込んでいる。そして、さらに、右側面Ｒに沿って同様に掛渡部Ｎを経て、裏面Ｂも同様に縫い込んでいる（以下、図４も参照こと）。
さらに、第１縫目３６は、裏面Ｂの開口部Ｍ側の端部付近をこの端部に沿って縫い込んでおり、その後、９０度カーブして、裏面Ｂの左側面Ｌ側の端部付近をこの端部に沿って縫い込んでいる。最後に、左側面Ｌに沿って同様に掛渡部Ｎを経て、表面Ｆも同様に縫い込んでいる（図１に戻る）。そして、最初の位置にもどる。
【００２３】
図２は、札収納部５の構造の説明図である。
【００２４】
前述の様に、収納部形成面３３は本体部３と結合されている。
この収納部形成面３３に切込３３１を、略逆Ｕ字型に入れることによって、札収納空間５２を形成している。
Ｕ字型に切込まれた内部部分が、外側収納面部５４となる。
ここで、逆Ｕ字型の切込３３１は、Ｕ字型の底面に該当する表面Ｆの開口部Ｍ側に形成される開口部側切込３３１ｂを有する。
また、逆Ｕ字型の切込３３１は、右側面Ｒ側に、表面Ｆから掛渡部Ｎを介して裏面Ｂまで続く右側切込３３１ａを有する（図５も参照のこと。）。逆Ｕ字型の切込３３１は、左側面Ｌ側に、表面Ｆから掛渡部Ｎを介して裏面Ｂまで続く左側切込３３１ｃを有する（図５も参照のこと。）。
この右側切込３３１ａ、開口部側切込３３１ｂ及び左側切込３３１ｃで、逆Ｕ字側の切込３３１が形成されている。
そのため、外側収納面部５４の右側面Ｒ側の端部は右側切込３３１ａの位置と一致する。
同様に、外側収納面部５４の左側面Ｌ側の端部は左側切込３３１ｃの位置と一致する。
ただし、外側収納面部５４の開口部Ｍ側の端部は、開口部側切込３３１ｂよりも掛渡部Ｎ側にセットバックして形成される（図１参照のこと）。その理由は、内側収納面部５３を形成に好適であるからである。もっとも、このセットバックは必須ではなく、外側収納面部５４の開口部Ｍ側の端部が開口部側切込３３１ｂの位置と一致していても良い。
【００２５】
ここで、第２縫目３４は、この切込３３１のわずかに外側を縫い込んでいる（図４も参照のこと）。そのため形状も切込３３１と同様に逆Ｕ字型である。
右側切込３３１ａに該当する位置に形成されている縫い込みが右第２縫目３４ａであり、開口部側切込３３１ｂに該当する位置に形成されている縫い込みが開口第二縫目であり第２結合位置３４ｂである。
また、左側切込３３１ｃに該当する位置に形成されている縫い込みが左第２縫目３４ｃである。
この、第２縫目３４によって、収納部形成面３３と本体部３とかさらに結合し、札などが収納部形成面３３と本体部３との間に侵入することを防いでいる。
【００２６】
また、外側収納面部５４を裏面Ｂ側に開いた場合、その外側収納面部５４の有った位置に、本体部３の表面側外皮３ａが表れることになる。
外側収納面部５４の本体部３側の面である外側収納面部内側面５４ｂには、接続部５７を構成する第２接続部５５が形成されている。
なお、外側収納面部５４の本体部３側とは反対の面は外側収納面部外側面５４ｆである。
【００２７】
また、札収納部５は、内側収納面部５３を有している。
この内側収納面部５３は、四角形状を有している。
この内側収納面部５３の札幅方向の幅は、切込３３１の札幅方向の長さよりもわずかに短く形成されている。
他方、この内側収納面部５３の札長手方向の長さは、本体部３の札長手方向長さＬ１の半分程度が好適である。
内側収納面部５３の本体部３側とは反対側の面である、内側収納面部外側面５３ｆには、接続部５７を構成する第１接続部５６が形成されている。
内側収納面部５３は、表面Ｆの第２結合位置３４ｂおいて、本体部３と結合している。
この第２結合位置３４ｂは、表面Ｆの開口部Ｍ側の位置に形成されている。第２結合位置３４ｂは、逆Ｕ字型の第２縫目３４のＵ字型の底面に該当する部分である。
【００２８】
第２接続部５５は凸形状であり、第１接続部５６は凹形状である。この凹凸が組み合わさって、第２接続部５５と第１接続部５６とは接合状態及び離間状態を取ることが可能となる。
【００２９】
図３は、内側収納面部５３を開口部Ｍ側に開いた状態の説明図である。
図４は、財布１の機能の説明図である。
【００３０】
図３の様に、内側収納面部５３の本体部３側の面は、内側収納面部内側面５３ｂである。
図３及び図４のように、札収納空間５２のうち、内側収納面部内側面５３ｂと本体部３の間で形成される空間において、少なくとも最大札Ｂ１の開口部Ｍ側の一部が収納される。
他方、札収納空間５２のうち、内側収納面部外側面５３ｆと外側収納面部内側面５４ｂの間で形成される空間において、少なくとも販売国の通貨の最小の大きさの札（最小札Ｂ２）の開口部Ｍ側の一部が収納される（図２も参照のこと）。
【００３１】
図４の様に、そして、接続部５７（第１接続部５６及び第２接続部５５）の位置から第１結合位置３６ｂまでの札収納空間５２の距離Ｌ４は、販売国の通貨の最大札（Ｂ１）の長手方向の長さ（ＬＢ）よりも短く形成されている。
加えて、第２結合位置３４ｂから第１結合位置３６ｂまでの札収納空間５２の距離Ｌ３は、販売国の通貨の最大札（Ｂ１）の長手方向の長さ（ＬＢ）よりも長く形成している。
さらに、第１接続部５６及び第２接続部５５の位置から第１結合位置３６ｂまでの札収納空間５２の距離は、販売国の通貨の最小札（Ｂ２）の長手方向の長さ（ＬＡ）よりも長く形成している。
このように形成して、最大札Ｂ１と最小札Ｂ２は少なくとも、区別した空間に収納することが可能となる。
これによって、シンプルに収納していながら、誤った札をユーザが出すことがより少なくなるようにすることが可能となる。
また、また財布をより小さくすることも可能となる。
さらに、斬新な新しい財布の形状を提案することも可能となった。
【００３２】
図５は、財布１の裏面Ｂの説明図である。
図６は、財布１の裏面Ｂを、外側収納面部５４を開いた状態の説明図である。
【００３３】
図５及び図６のように、裏面Ｂの収納部形成面３３は、切込３３１が入れられている。
具体的には、右側面Ｒ側には右側切込３３１ａが形成されており、左側面Ｌ側には左側切込３３１ｃが形成されている。
右側切込３３１ａは、裏面Ｂにおいて、開口部Ｍ側に向かって１／３程度の長さまでの切込み（Ｌ４）が入れられているだけである。
他方、左側切込３３１ｃは、裏面Ｂにおいて、開口部Ｍ側に向かって９／１０程度の長さまでの切込み（Ｌ３）が入れられている。
このことを別の表現で表すと以下のようになる。
右側面Ｒ側は本体部３（裏面側外皮３ｂ）に対して右接合部３４Ｒを有し、左側面Ｌ側は本体部３（裏面側外皮３ｂ）に対して左接合部３４Ｌを有している。
そして、右接合部３４Ｒは左接合部３４Ｌに比して長い長さを有している。
【００３４】
このような構造によって、札収納空間５２に（特に、図６を参照のこと）札を入れやすくしつつ、かつ、札が落ちてしまわないように挟み込むことも可能としている。
なお、短い側の左接合部３４Ｌは、全くない状態であっても良いことも言うまでもない。
同じ機能を果たすことができるからである。
また、右接合部３４Ｒと左接合部３４Ｌとは単に両社の長さが異なれば足りるのであり、右接合部３４Ｒが左接合部３４Ｌに比して短くてもよい。
【００３５】
また、第１縫目３６の第１結合位置３６ｂにおいて、外側収納面部５４が本体部３（裏面側外皮３ｂ）に対して結合している。
なお、本実施形態では収納部形成面３３に切込３３１を入れて外側収納面部５４を形成している。しかしながら、外側収納面部５４単体としつつ、単に本体部３に対しての第１結合位置３６ｂ（加えて、右接合部３４Ｒと左接合部３４Ｌ）を縫い付けることによって、外側収納面部５４を形成してもよい。
【００３６】
ここで、財布１の材質は、皮、合皮、プラスチック、布、その他の材質で形成することができる。
可撓性はあることが望ましいが、外側収納面部５４及び内側収納面部５３を開くことができる材質又は機構・構造があれば、他の部分は可撓性が無くてもかまわない。
【００３７】
＜実施形態の構成及び効果＞
本実施形態の財布１は、四角形状の表面Ｆと、表面Ｆと対向する位置に配置され、表面Ｆと同じ大きさを持つ裏面Ｂとを有する。
また、本実施形態の財布１は、札長手方向に位置し、開口可能に形成された開口部Ｍと、を有する本体部３と、本体部３の開口部Ｍと対面の面である掛渡部Ｎを介して、札を表面Ｆから裏面Ｂに掛け渡して収納可能に形成される札収納部５と、を有する。
このような構成を有することから、シンプルな構造で札を収納することが可能となる。
また、この構造は斬新な構造である。
さらに、財布１の大きさを小さくすることも可能となる。
【００３８】
開口部Ｍから、小銭、カード、名刺、のいずれか１つは、本体部３の内部に対して出し入れされる構造である。
このような構成を有することから、札とそれ以外を区別して収納することが可能となる。
【００３９】
札収納部５は、表面Ｆ、掛渡部Ｎ及び裏面Ｂを覆い、可撓性の有る外側収納面部５４を有し、外側収納面部５４は、少なくとも本体部３の裏面Ｂの開口部Ｍ側の位置である第１結合位置３６ｂにおいて、本体部３と結合されており、札収納部５は外側収納面部５４と本体部３との間で札収納空間５２が形成されて札が保持されるように形成されている。
このような構成を有することから、シンプルな構造で札を収納することが可能となる。
また、この構造は斬新な構造である。
さらに、財布１の大きさを小さくすることも可能となる
【００４０】
札収納部５は、本体部３の表面Ｆの開口部Ｍ側の位置である第２結合位置３４ｂにおいて、本体部３と結合される内側収納面部５３、を有し、内側収納面部５３を掛渡部Ｎに対して倒した状態で、本体部３とは反対側の面（内側収納面部外側面５３ｆ）に、第１接続部５６が形成され、外側収納面部５４を掛渡部Ｎに掛け渡した状態で、本体部３側の面（外側収納面部内側面５４ｂ）に、第１接続部５６と、接続と離間が可能な第２接続部５５が形成されている。
そして、第１接続部５６及び第２接続部５５の位置から第１結合位置３６ｂまでの札収納空間５２の距離Ｌ４は、販売国の通貨の最大札Ｂ１の長手方向の長さ（ＬＢ）よりも短く形成し、
第２結合位置３４ｂから第１結合位置３６ｂまでの札収納空間５２の距離Ｌ３は、販売国の通貨の最大札Ｂ１の長手方向の長さ（ＬＢ）よりも長く形成している。
このような構成によって、最大札Ｂ１と最小札Ｂ２は少なくとも、区別した空間に収納することが可能となる。
これによって、シンプルに収納していながら、誤った札をユーザが出すことがより少なくなるようにすることが可能となる。
また、また財布をより小さくすることも可能となる。
さらに、斬新な新しい財布の形状を提案することも可能となった。
【００４１】
第１接続部５６及び第２接続部５５の位置から第１結合位置３６ｂまでの札収納空間５２の距離は、販売国の通貨の最小札Ｂ２の長手方向の長さＬＡよりも長く形成している。
このような構成を有することから、最大札Ｂ１と最小札Ｂ２は少なくとも、区別した空間に収納することが可能となる。
【００４２】
外側収納面部５４は、幅方向の少なくとも一方の端部において本体部３と結合している。
このような構成を有することから、札収納空間５２に（特に、図６を参照のこと）札を入れやすくしつつ、かつ、札が落ちてしまわないように挟み込むことも可能としている。
【００４３】
外側収納面部５４は、幅方向の両方の端部において本体部３と結合している場合には、一方の端部の接合部の長さは、他方の接合部の長さと異なる。
このような構成を有することから、札収納空間５２に（特に、図６を参照のこと）札を入れやすくしつつ、かつ、札が落ちてしまわないように挟み込むことも可能としている。
【００４４】
外側収納面部５４は、幅方向の一方のみにおいて本体部３と結合している。
このような構成を有することから、札収納空間５２に（特に、図６を参照のこと）札を入れやすくしつつ、かつ、札が落ちてしまわないように挟み込むことも可能としている。
【００４５】
本考案の、構造、材質等はあくまで一例であり、１つの部材を２つに分けることも、可能であるし、逆に、２つの部材を１つにすることも可能である。
【符号の説明】
【００４６】
１        ：財布
３        ：本体部
３ａ      ：表面側外皮
３ｂ      ：裏面側外皮
５        ：札収納部
３１      ：ファスナ
３２      ：ファスナ金具
３３      ：収納部形成面
３３ｂ    ：裏面側収納部形成面
３３ｆ    ：表面側収納部形成面
３４      ：第２縫目
３４Ｌ    ：左接合部
３４Ｒ    ：右接合部
３４ａ    ：右第２縫目
３４ｂ    ：第２結合位置
３４ｃ    ：左第２縫目
３６      ：第１縫目
３６ｂ    ：第１結合位置
３９      ：把持部
５２      ：札収納空間
５３      ：内側収納面部
５３ｂ    ：内側収納面部内側面
５３ｆ    ：内側収納面部外側面
５４      ：外側収納面部
５４ｂ    ：外側収納面部内側面
５４ｆ    ：外側収納面部外側面
５５      ：第２接続部
５６      ：第１接続部
５７      ：接続部
３３１    ：切込
３３１ａ  ：右側切込
３３１ｂ  ：開口部側切込
３３１ｃ  ：左側切込
Ｂ        ：裏面
Ｂ１      ：最大札
Ｂ２      ：最小札
Ｆ        ：表面
Ｌ        ：左側面
Ｌ１      ：札長手方向
Ｌ３      ：距離
Ｌ４      ：距離
Ｍ        ：開口部
Ｎ        ：掛渡部
Ｒ        ：右側面
【図１】
0003211288.tif 000003
【図２】
0003211288.tif 000004
【図３】
0003211288.tif 000005
【図４】
0003211288.tif 000006
【図５】
0003211288.tif 000007
【図６】
0003211288.tif 000008
【手続補正書】
【提出日】平成29年4月10日(2017.4.10)
【手続補正１】
【補正対象書類名】実用新案登録請求の範囲
【補正対象項目名】全文
【補正方法】変更
【補正の内容】
【実用新案登録請求の範囲】
【請求項１】
四角形状の表面と、
前記表面と対向する位置に配置され、前記表面と同じ大きさを持つ裏面と、
札長手方向に位置し、開口可能に形成された開口部と、
を有する本体部と、
前記本体部の前記開口部と対面の面である掛渡部を介して、札を前記表面から前記裏面に掛け渡して収納可能に形成される札収納部と、を有する
財布。
【請求項２】
前記開口部から、小銭、カード、名刺、のいずれか１つは、前記本体部の内部に対して出し入れされる構造である
請求項１に記載の財布。
【請求項３】
前記札収納部は、
前記表面、前記掛渡部及び前記裏面を覆い、可撓性の有る外側収納面部を有し、
前記外側収納面部は、少なくとも前記本体部の前記裏面の前記開口部側の位置である第１結合位置において、前記本体部と結合されており、
前記札収納部は、前記外側収納面部と前記本体部との間で札収納空間が形成されて札が保持されるように形成されている
請求項１又は２に記載の財布。
【請求項４】
前記札収納部は、前記本体部の前記表面の前記開口部側の位置である第２結合位置において、前記本体部と結合される内側収納面部、を有し、
前記内側収納面部を前記掛渡部に対して倒した状態で、前記本体部とは反対側の面に、第１接続部が形成され、
前記外側収納面部を前記掛渡部に掛け渡した状態で、前記本体部側の面に、前記第１接続部と、接続と離間が可能な第２接続部が形成され、
前記第１接続部及び前記第２接続部の位置から前記第１結合位置までの前記札収納空間の距離は、販売国の通貨の最大札の長手方向の長さよりも短く形成し、
前記第２結合位置から前記第１結合位置までの前記札収納空間の距離は、販売国の通貨の最大札の長手方向の長さよりも長く形成している
請求項３に記載の財布。
【請求項５】
前記第１接続部及び前記第２接続部の位置から前記第１結合位置までの前記札収納空間の距離は、販売国の通貨の最小札の長手方向の長さよりも長く形成している
請求項４に記載の財布。
【請求項６】
前記外側収納面部は、幅方向の少なくとも一方の端部において前記本体部と結合している
請求項３〜５いずれか１項に記載の財布。
【請求項７】
前記外側収納面部は、
幅方向の両方の端部において前記本体部と結合している場合には、
一方の端部の接合部の長さは、他方の接合部の長さと異なる
請求項６に記載の財布。
【請求項８】
前記外側収納面部は、
幅方向の一方のみにおいて前記本体部と結合している
請求項６に記載の財布。